(57)【要約】【課題】面板の周囲に断面コ字形のパッキンを容易に装着でき、かつ、このパッキンを取付け枠の内周縁面に凹設された溝部に作業性よく収め、框組を確実に行うことのできる面板取付け構造および面板取付け方法を提供する。【解決手段】面板の周縁に装着され、断面略コ字形のパッキンを介して面板を取り付ける構造であって、上記パッキン１は後面部１１と該後面部１１の端部から延出する一対の挟持片１２とからなり、該挟持片１２は基端部１２１と中間部１２２と先端部１２３とから構成され、かつ、その基端部１２１は上記後面部１１と隅角部を形成し、上記基端部１２１に連接する中間部１２２から先端部１２３に向けて弓なりに拡がるとともに、各挟持片１２は弾性的に協動して拡縮し、このパッキン１を介して取付け枠４に凹設された溝部５に面板３を嵌合する取付け構造。【選択図】図３
2010255264.tif 000002
【特許請求の範囲】
【請求項１】
面板の周縁に装着され、断面略コ字形のパッキンを介して面板を取り付ける構造であって、上記パッキンは後面部と該後面部の端部から延出する一対の挟持片とからなり、該挟持片は基端部と中間部と先端部とから構成され、かつ、その基端部は上記後面部と隅角部をなし、上記基端部に連接する中間部から先端部に向けて弓なりに拡がるとともに、各挟持片は弾性的に協動して拡縮し、このパッキンを介して取付け枠に凹設された溝部に面板を嵌合する面板取付け構造。
【請求項２】
上記断面略コ字形のパッキンの後面部の裏面側の長手方向に接着剤保持溝を形成し、上記取付け枠に凹設された溝部に接着剤を塗布するとともに、上記パッキンを介して面板を溝部に嵌合する請求項１に記載の面板取付け構造。
【請求項３】
請求項２に記載の面板取付け構造において、上記パッキンを面板に装着させ、該面板を該パッキンを介して、取付け枠の内周縁面に凹設され、かつ、接着剤が塗布された溝部に嵌合する面板取付け方法。
【発明の詳細な説明】
【技術分野】
【０００１】
本願発明は、面板をパッキンを介在させて取付け枠の内周縁面に取付ける構造およびその取付け方法に関する。
【背景技術】
【０００２】
従来、矩形の取り付け枠内に透明または半透明の面板を取り付けた採光扉や、間仕切り戸、窓等が知られている。上記面板を取り付け枠、いわゆる框に取り付ける方法としては、例えば、左右の取付け枠の内周縁面に溝部を凹設し、この溝部にパッキンを介して面板を嵌め込む方法が知られている。
【０００３】
特開２００４−２３２２４０号公報には、取付け枠の内周縁面に溝を形成し、この溝内部に自身の全部が収まるようにパッキンを配設し、面板の周縁部を前記溝の開口から差し込んで溝内部のパッキンに嵌め込んでなる面板と取付け枠の接続構造において、溝の両側面の開口側の端部に、溝の幅方向の内側に突出すると共にその突端が面板近傍に位置する隠し用突片を形成して成ることを特徴とする面板と取付け枠の接続構造が開示されている。
【０００４】
そして、溝内部にその全部が収納されたパッキンを取付け枠の内周縁面に露出しないように隠せるため、外観を向上させることができる。また、パッキンを隠し用突片により取付け枠の内周縁面に露出しないようにすることで、溝内部に異物や紫外線等が入り込み難くなり、これによってパッキンが経年変化によって劣化することを抑えることができるとの効果が記載されている。
【先行技術文献】
【特許文献】
【０００５】
【特許文献１】特開２００４−２３２２４０号公報
【発明の概要】
【発明が解決しようとする課題】
【０００６】
ところで、上記面板として、透明または半透明のガラスを用いる場合、面板を取り付け枠に取り付ける際、安全上の見地から、ガラスの角部を面取り加工して作業員が怪我等しないような配慮がされている。そして、面取り加工されたガラス等の面板の端部に対応した曲面（Ｒ部）で形成した内隅部を有するパッキンを介し、取付け枠に凹設された溝部に収めている。しかしながら、面取り加工を行う必要がない有機ガラス、例えば、アクリル樹脂を面板として用いる場合、パッキン内の上記内隅部が曲面で形成されていると位置決めを適正にすることが困難となる。そして、位置決めが不適正なままで面板の端部に装着されたパッキンは、上下左右の枠を組む、いわゆる框組の作業中に外れて面板を溝部に嵌入できないという場合がある。
【０００７】
本願発明は、上記背景技術に鑑みて発明されたものであり、その課題は、面板の周囲に断面略コ字形に形成されたパッキンの位置決めを適正にして装着できるとともに、上記パッキンを取付け枠の内周縁面に凹設された溝部に作業性よく収め、框組を確実に行うことのできる面板の取付け構造およびその取付け方法を提供することである。
【課題を解決するための手段】
【０００８】
上記課題を解決するために、本願請求項１に記載の発明に係る面板取付け構造は、面板の周縁に装着され、断面略コ字形のパッキンを介して面板を取り付ける構造であって、上記パッキンは後面部と該後面部の端部から延出する一対の挟持片とからなり、該挟持片は基端部と中間部と先端部とから構成され、かつ、その基端部は上記後面部と隅角部をなし、上記基端部に連接する中間部から先端部に向けて弓なりに拡がるとともに、各挟持片は弾性的に協動して拡縮し、このパッキンを介して取付け枠に凹設された溝部に面板を嵌合する構造である。
【０００９】
ここで隅角部とは隅部が曲面で形成されておらず面と面の交差で形成されていることを意味するものである。上記パッキンとしては、軟質でゴム弾性を有する材料であれば、特に限定されず、例えば、ＥＶＡ、軟質塩化ビニル樹脂、軟質ポリエチレン、合成ゴム、天然ゴム等の各種軟質材料をあげることができる。これらは断面略コ字形に押出成形することによって得られる。
【００１０】
また、本願請求項２に記載の発明においては、上記断面略コ字形のパッキンの後面部の裏面側の長手方向に接着剤保持溝を形成し、上記取付け枠に凹設された溝部に接着剤を塗布するとともに、上記パッキンを介して面板を溝部に嵌合することを特徴としている。
【００１１】
本願請求項３に記載の発明に係る面板取付け方法は、請求項２に記載の面板の取付け構造において、上記パッキンを面板に装着させ、該面板を該パッキンを介して、取付け枠の内周縁面に凹設され、かつ、接着剤が塗布された溝部に嵌合する方法である。
【発明の効果】
【００１２】
本願請求項１記載の発明に係る面板取付け構造においては、上記パッキンは断面略コ字形であって、後面部と該後面部の端部から延出する一対の挟持片とからなり、各挟持片は弾性的に協動して拡縮するため、面板の外周縁側端を２つの挟持片の間に嵌入するとき、各挟持片は弾性的に拡開され、その後は、弾性復帰して上記面板の外周縁側端をしっかりと挟着保持する。この時、挟持片の基端部が後面部と隅角部を形成しているため、面板の側端角部が隅角部に位置決めされ適切な位置に保持され、作業中にパッキンが落下する恐れが少ないものである。このようにして、パッキンを装着した面板を取付け枠に凹設された溝部に嵌合させることにより、面板をしっかりと取付け枠に取り付けることができる。
【００１３】
また、本願請求項２記載の発明に係る面板取付け構造においては、特に、断面略コ字形のパッキンの後面部の裏面側の長手方向に接着剤保持溝を形成されているため、取付け枠に凹設された溝部に塗布された接着剤のうち、余分な接着剤の接着剤溜まりとして機能し、溝部からの接着剤の漏れや溢れをパッキンの裏面側で防いで、框組を作業性よく行うことができる。
【００１４】
また、本願請求項３記載の発明に係る面板取付け方法においては、特に、軟質でゴム弾性を有するパッキンの後面部に接着剤保持溝を設けているため、この接着剤保持溝が接着剤溜まりとして機能し、框組の際、パッキンが溝部の内奥部に圧接されて接着されたとき、余分の接着剤は上記接着剤保持溝で保持されることにより、溝部からの接着剤の漏れや溢れを防ぐことができる。そして、拭き取り作業等、余分な作業を行うことなく、作業性よく、かつ、確実に框組を行うことができる。
【図面の簡単な説明】
【００１５】
【図１】（イ）は第１実施形態に係る面板取付け構造の主構成部分であるパッキンを示す断面図、（ロ）は第１実施形態に係るパッキンを装着した面板を取付け枠の内周縁面に凹設された溝部に嵌入する状態を示す説明図。
【図２】（イ）は第１実施形態の変形例に係る面板取付け構造の主構成部分であるパッキンを示す断面図、（ロ）は第２実施形態に係る面板取付け構造およびそれを用いて面板を取付け枠に取り付ける方法を示す説明図。
【図３】取付け枠の内周縁面に凹設された溝部に面板を取り付けた状態を示す断面図。
【発明を実施するための形態】
【００１６】
以下、本願発明に係る面板取付け構造および取付け方法の実施形態について図面を参照して詳細に説明する。本実施形態においては、面板として有機ガラスである半透明のアクリル樹脂板を使用し、仕切り戸の採光に用いる場合について述べる。
【００１７】
図１（イ）は、本願発明の第１実施形態に係る面板取付け構造の主構成部分であるパッキン１を示す断面図である。図１（イ）に示すように、上記パッキン１は、矩形に形成された図外面板の外周縁側端に装着されるように断面略コ字形とされ、後面部１１と該後面部１１の端部から延出する一対の挟持片１２とから構成される。
【００１８】
この挟持片１２は基端部１２１と中間部１２２と先端部１２３とから構成され、基端部１２１は上記後面部１１と鋭角αをなして隅角部を形成するとともに、上記基端部１２１に連接する中間部１２２から先端部１２３に向けて弓なりに拡がる構造とされている。
【００１９】
上記したパッキン１は、例えば、ＥＶＡ樹脂から形成され、軟質でゴム弾性を有しているため、図示しない面板の外周縁側端を挟持するように挟持片１２どうしが協働して拡縮自在に弾性変位することができる。
【００２０】
また、図１（ロ）に示すように、面板３の外周縁側端３１は、２つの挟持片１２の弾性抵抗に抗して拡開させ、嵌入後に弾性復帰する挟持片１２によってしっかりと挟着保持される。このとき、後面部１１と当初、鋭角αをなしていた隅角部を形成する挟持片１２の基端部１２１は、弾性変位することにより、略直角となるまで拡開し、外周縁側端３１の角部は略直角まで拡開された内隅角部に納められる。隅角部は曲面を形成していない隅部を意味しており、角度は鋭角である必要はないものである。
【００２１】
このようにして、パッキン１を装着された面板３は、図１（ロ）に白抜き矢印で示すように、取付け枠４の内周縁面４１に凹設された溝部５に嵌入される。パッキン１の後面部１１の裏面側の長手方向には、断面略Ｖ字形の接着剤保持溝１１１が形成されている。接着剤保持溝１１１は取付け枠４の内周縁面４１に凹設された溝部５に嵌入される際に、溝部５の接着剤が溢れるのを防止するものである。
【００２２】
図２（イ）は、本願発明の第１実施形態の変形例に係る面板取付け構造の主構成部分であるパッキン１を示す断面図である。図２（イ）に示すように、上記パッキン１は、後面部１１と該後面部１１の端部から延出する一対の挟持片１２とから構成されている。
【００２３】
上記挟持片１２は、基端部１２１と中間部１２２と先端部１２３とから構成されているが、基端部１２１は上記後面部１１の上下端部から直角に近い鋭角をなした隅角部を形成している。そして、上記基端部１２１に連接する中間部１２２どうしは一旦接近して、それから先端部１２３に向けて弓なりに拡がる構造とされている。
【００２４】
図２（ロ）は、本願発明の第２実施形態に係る面板取付け構造およびそれを用いて面板３を取付け枠４に取り付ける方法を示す説明図である。図２（ロ）に示すように、本実施形態においても、パッキン２の後面部２１の裏面側の長手方向に断面略Ｖ字形の接着剤保持溝２１１が形成されており、その両側の部分が上記実施形態よりも二山状に厚く形成されている。そして、上記変形例と同様に、該パッキン２の後面部２１と該後面部２１の端部から延出する一対の挟持片２２とから構成されている。
【００２５】
上記挟持片２２は、基端部２２１と中間部２２２と先端部２２３とから構成されているが、基端部２２１は上記後面部２１の上下端部から直角に近い鋭角をなして隅角部を形成している。そして、上記基端部２２１に連接する中間部２２２どうしは一旦接近して、それから先端部２２３に向けて弓なりに拡がる構造とされている。
【００２６】
つぎに、第２実施形態に係る面板取付け方法について、図２（ロ）を参照して説明する。まず、面板３の外周縁側端３１を第２実施形態に係るパッキン２の一対の挟持片２２の間に嵌入させ、弾性挟持させる。そして、外周縁側端３１の外角を基端部２２１と後面部２１のなす略直角の隅角部にしっかりと嵌着させる。
【００２７】
一方、取付け枠４の内周縁面４１に凹設された溝部５の内奥部には接着剤６が塗布され、予め接着剤６が塗布された溝部５に、図２（ロ）に白抜き矢印で示すように、パッキン２を装着した面板３を嵌入する。ここで、溝部５に塗布された接着剤６のうち、接着に供されなかった余分の接着剤６は上記接着剤保持溝２１１に溜まり、溝部５から溢れることを防いで保持される。
【００２８】
図３は、上記した方法により、取付け枠４の内周縁面４１に凹設された溝部５に面板３を取り付けた状態を示す断面図である。図３に示すように、軟質でゴム弾性を有するパッキン２は嵌入時に弾性的に延伸し、かつ、接着剤保持溝２１１も溝部５の内奥部に圧接され接着される。ここで、接着剤保持溝２１１は余分の接着剤６の接着剤溜まりとして機能し、框組の作業の際、溝部５から接着剤６の漏れや溢れを防止する。そして、拭き取り作業等、余分な作業を行うことなく、作業性よく框組を行うことができる。
【００２９】
このようにして、接着剤６で確実にパッキン２を溝部５に接着することにより、面板３の外周縁側端３１をパッキン２を介して溝部５に嵌着し、面板３を取付け枠４に取り付けることができる。
【００３０】
なお、本実施形態においては、面板として半透明のアクリル樹脂板を用いる場合について述べたが、ガラス製の面板を用いる場合についても上記と同様にして実施可能である。このように本願発明に係る面板の取付け構造および取付け方法は設計変更自在であり、特許請求の範囲を逸脱しない限り、いずれの場合も本願発明の技術的範囲に属する。
【符号の説明】
【００３１】
α      後面部と挟持片とでなす鋭角
１      第１実施形態に係るパッキン
１１    後面部
１１１  接着剤保持溝
１２    挟持片
１２１  基端部
１２２  中間部
１２３  先端部
２      第２実施形態に係るパッキン
２１    後面部
２１１  接着剤保持溝
２２    挟持片
２２１  基端部
２２２  中間部
２２３  先端部
３      面板
３１    外周縁側端
４      取付け枠
４１    内周縁面
５      溝部
６      接着剤
【図１】
2010255264.tif 000003
【図２】
2010255264.tif 000004
【図３】
2010255264.tif 000005